(57)【特許請求の範囲】
【請求項１】
地面又は床から所定高さに設置された照明装置であって、下方に向かって光を照射する発光ダイオード（８）及び該発光ダイオード（８）からの光を配光する配光レンズ（９）を有する照射ユニット（７）を複数備え、各発光ダイオード（８）の光軸（Ｓ）が同一又は略同一方向に向けられ、少なくとも１つの照射ユニット（７）は、配光レンズ（９）により、発光ダイオード（８）からの光を、光軸（Ｓ）側で弱めることによって、該光軸（Ｓ）から広がる側に強めることにより、前記光軸（Ｓ）周りの広い範囲に配光する広域照射ユニット（７Ａ，７Ｂ，７Ｄ）であり、該広域照射ユニット（７Ａ，７Ｂ，７Ｄ）以外の少なくとも１つの照射ユニット（７）を、発光ダイオード（８）からの光が配光レンズ（９）により光軸（Ｓ）上又は光軸（Ｓ）に近接する狭い範囲に配光するように構成された下方照射ユニット（７Ｃ）とすることにより、広域照射ユニット（７Ａ，７Ｂ，７Ｃ）の前記配光により光が弱められて光量が不足した光軸（Ｓ）上又は光軸（Ｓ）の近傍を、前記下方照射ユニット（７Ｃ）の上記狭い範囲への配光によって補う照明装置。
【請求項２】
前記広域照射ユニット（７Ａ，７Ｂ，７Ｄ）を複数設け、該広域照射ユニット（７Ａ，７Ｂ，７Ｄ）の設置数を、下方照射ユニット（７Ｃ）の設置数よりも多く設定した請求項１に記載の照明装置。
【請求項３】
前記広域照射ユニット（７Ｄ）の配光レンズ（９）を、光軸（Ｓ）方向視で、該光軸（Ｓ）を中心とした円形の光量分布となるように、発光ダイオード（８）からの光を配光する構成とした請求項１又は２の何れかに記載の照明装置。
【請求項４】
前記広域照射ユニット（７Ａ，７Ｂ）の配光レンズ（９）は、発光ダイオード（８）からの光を、光軸（Ｓ）に対して直交する配光線（Ｚ１）の両側に広がるように配光する請求項１又は２の何れかに記載の照明装置。
【発明の詳細な説明】
【技術分野】
【０００１】
この発明は、駐車場や部屋等の空間を明るく照らす照明装置に関する。
【背景技術】
【０００２】
下方に向かって光を照射す発光ダイオード及び該発光ダイオードからの光を配光する配光レンズを有する照射ユニットを複数備え、照射ユニットの少なくとも１つは、配光レンズによって、発光ダイオードからの光を光軸に交差する方向に強める広域照射ユニットとなる特許文献１に示す照明装置が公知になっている。
【先行技術文献】
【特許文献】
【０００３】
【特許文献１】特開２０１０−１７０７３６号公報
【発明の概要】
【発明が解決しようとする課題】
【０００４】
上記文献に示す照明装置は、照射方向を水平方向に近い方向に設定することにより、照射ユニットの下方の広い範囲を照らすことが可能になる一方で、このように照射方向を設定すると、光軸側である照射ユニットの直下が暗くなり、下方スペース全体を均等に明るく照らすことができない場合がある。
【０００５】
本発明は、下方に光を発光する発光ダイオード及び発光ダイオードからの光を配光する配光レンズを備えた照明装置において、下方の広い範囲を均一に明るく照らすことが可能な照明装置を提供することを課題とする。
【課題を解決するための手段】
【０００６】
上記課題を解決するため、第１に、地面又は床から所定高さに設置された照明装置であって、下方に向かって光を照射する発光ダイオード８及び該発光ダイオード８からの光を配光する配光レンズ９を有する照射ユニット７を複数備え、各発光ダイオード８の光軸Ｓが同一又は略同一方向に向けられ、少なくとも１つの照射ユニット７は、配光レンズ９により、発光ダイオード８からの光を、光軸Ｓ側で弱めることによって、該光軸Ｓから広がる側に強めることにより、前記光軸Ｓ周りの広い範囲に配光する広域照射ユニット７Ａ，７Ｂ，７Ｄであり、該広域照射ユニット７Ａ，７Ｂ，７Ｄ以外の少なくとも１つの照射ユニット７を、発光ダイオード８からの光が配光レンズ９により光軸Ｓ上又は光軸Ｓに近接する狭い範囲に配光するように構成された下方照射ユニット７Ｃとすることにより、広域照射ユニット７Ａ，７Ｂ，７Ｃの前記配光により光が弱められて光量が不足した光軸Ｓ上又は光軸Ｓの近傍を、前記下方照射ユニット７Ｃの上記狭い範囲への配光によって補うことを特徴としている。
【０００７】
第２に、前記広域照射ユニット７Ａ，７Ｂ，７Ｄを複数設け、該広域照射ユニット７Ａ，７Ｂ，７Ｄの設置数を、下方照射ユニット７Ｃの設置数よりも多く設定したことを特徴としている。
【０００８】
第３に、前記広域照射ユニット７Ｄの配光レンズ９を、光軸Ｓ方向視で、該光軸Ｓを中心とした円形の光量分布となるように、発光ダイオード８からの光を配光する構成としたことを特徴としている。
【０００９】
第４に、前記広域照射ユニット７Ａ，７Ｂの配光レンズ９は、発光ダイオード８からの光を、光軸Ｓに対して直交する配光線Ｚ１の両側に広がるように配光することを特徴としている。
【発明の効果】
【００１０】
上記構成によれば、発光ダイオードからの光を光軸に交差する方向に強める広域照射ユニットと、発光ダイオードからの光を光軸方向に沿って強める下方照射ユニットとによって、照射ユニットの下方の広い範囲を均一に明るく照らすことが可能になる。
【図面の簡単な説明】
【００１１】
【図１】（Ａ），（Ｂ）は、本発明を適用した照明装置を設置した駐車場の平面図及び正面図である。
【図２】照明装置の照射範囲を示す平面図である。
【図３】照明装置の照射面の構成を示す説明図である。
【図４】ＬＥＤを光軸の真横から見た説明図である。
【図５】（Ａ）は第１配光レンズを光軸方向から見た場合の形状を示す図面であり、（Ｂ），（Ｃ）は（Ａ）のＢ矢視図及びＣ矢視図である。
【図６】（Ａ），（Ｂ）は、第１照射ユニットの光軸方向視の光量分布図及び長軸方向の光量分布図である。
【図７】（Ａ）は第２配光レンズの光軸方向視の外形図であり、（Ｂ）は（Ａ）のＢ矢視図であり、（Ｃ）は（Ａ）のＣ−Ｃ断面図である。
【図８】第２照射ユニットの光軸方向視の光量分布図である。
【図９】（Ａ），（Ｂ）は第３照射ユニットの分解側面図及び平面図である。
【図１０】（Ａ）は第３照射ユニットの照射状態を真横から見た場合の説明図であり、（Ｂ）は第３照射ユニットの光軸方向視の光量分布図である。
【図１１】（Ａ），（Ｂ）は公園に設置された外灯の平面図及び側面図である。
【図１２】（Ａ），（Ｂ）は第４配光レンズの側面図及び光軸方向視の平面図である。
【図１３】（Ａ）は第４照射ユニットの光軸方向視の光量分布図であり、（Ｂ）は光軸の真横から観察した場合の第４照射ユニットの光量分布図である。
【図１４】（Ａ），（Ｂ）は部屋に設置された外灯の平面図及び側面図である。
【発明を実施するための形態】
【００１２】
図１（Ａ），（Ｂ）は、本発明を適用した照明装置を設置した駐車場の平面図及び正面図である。平面視方形状の駐車場（空間）１の地面２から所定高さに設置された照明装置３は、下方に向かって光を照射するように構成されている。この照明装置３は、駐車場１の両端側にそれぞれ配設されており、この一対の照明装置３が地面２に向かって光を照射することにより、駐車場１が明るく均一に照らされる。
なお、本発明の照明装置３は、駐車場以外の空間１である公園や、室内の空間等にも適用可能である。
【００１３】
図２は、照明装置の照射範囲を示す平面図であり、図３は、照明装置の照射面の構成を示す説明図であり、図４は、ＬＥＤを光軸の真横から見た説明図である。図１乃至図４に示す通り、照明装置３は、駐車場１における長手方向に延びる端部の中央部から上方に突出形成された支柱（支持部材）４の上端部に取付固定された筐体６を備えている。この筐体６は方形厚板状に形成され、この筐体６の面積の広い一面が、下方側を向いた照射面６ａになり、内部又は表面には、冷却用の図示しないヒートシンクが設置されている。
【００１４】
ちなみに、この照射面６ａは、地面２に対して平行に対向させてもよいし、或いは地面２に対して傾斜させた状態で対向させてもよく、図示する例では、駐車場１の中央側に向かって上方傾斜した状態で地面２と対向している。
【００１５】
筐体６の上記照射面６ａには、複数の照射ユニット７が設置されている。各照射ユニット７は、１つのＬＥＤ（発光ダイオード）８と、１つの配光レンズ９とから構成されている。
【００１６】
各ＬＥＤ８を、照射方向が照射面６ａから突出する方向（具体的には、照射面６ａに垂直又は略垂直な方向）を向くようにして、筐体６に固定することにより、前記光軸Ｓが設定される。ちなみに、複数のＬＥＤ８の光軸Ｓは、個別に微調整可能であり、この複数のＬＥＤ８の設置によって、筐体６は発光装置（投光器）として機能する。
【００１７】
このＬＥＤ８は、光軸Ｓに対して、拡散角度αが−２０〜２０度の範囲内では、光量が最大値を保持するとともに、拡散角度αが２０度以上または−２０度以下の範囲では、拡散角度αの絶対値が大きくなるに従って次第に光量が小さくなるように、光度分布が設定されている。
【００１８】
照射ユニット７には、第１照射ユニット（広域照射ユニット，対象範囲照射ユニット）７Ａと、第２照射ユニット（広域照射ユニット，非対象範囲照射ユニット）７Ｂと、第３照射ユニット（下方照射ユニット）７Ｃとの３種類が用意され、この３種類の照射ユニット７Ａ，７Ｂ，７Ｃには、専用の配光レンズ９である第１配光レンズ９Ａと、第２配光レンズ９Ｂと、第３配光レンズ９Ｃがそれぞれ用いられる一方で、ＬＥＤ８は全て同一種類のものが用いられる。
【００１９】
図５（Ａ）は第１配光レンズを光軸方向から見た場合の形状を示す図面であり、（Ｂ），（Ｃ）は（Ａ）のＢ矢視図及びＣ矢視図であり、図６（Ａ），（Ｂ）は、第１照射ユニットの光軸方向視の光量分布図及び長軸方向の光量分布図である。第１配光レンズ９Ａは、光軸Ｓ方向視において、同一形状の一対の楕円同士を、長径が同一線上に位置するようにして互いを重ね合せた際の外形と略同一形状を有し、筐体６の照射面６ａからドーム状に盛上った形状に成形されており、光透性を有する部材（具体的には、無色透明な合成樹脂や硝子等）によって構成されている。
【００２０】
このようにして、上記長径方向に長軸Ｙ１が設定された第１配光レンズ９Ａの該長軸Ｙ１方向の中央部には、ＬＥＤ８を収容する収容スペースとなる収容部１１が形成されている。この収容部１１は、二等辺三角形状（さらに具体的には正三角形状）の断面形状を有して、長軸Ｙ１方向に直交する方向に形成されており、該収容部１１の全長方向両端及び照射面６ａ側面が開放されている。
【００２１】
そして、筐体６の照射面６ａに固定された状態のＬＥＤ８の下方側から、収容部１１を被せるようにして、各ＬＥＤ８に１つの第１配光レンズ９Ａを設置する。この際、収容部１１の全長方向中央部にＬＥＤ８を位置させるとともに、第１配光レンズ９Ａの長軸Ｙ１方向が駐車場１の長手方向に平行な姿勢で、該第１配光レンズ９Ａが、筐体６の照射面６ａ側に取付固定される。
【００２２】
ＬＥＤ８からの光は、第１配光レンズ９Ａによって、光軸Ｓ方向では弱められて光量が少なくなるとともに、該光軸Ｓと直行する一方向の直線であって且つ自身の長軸Ｙ１に平行な直線である配光線Ｚ１に沿って強められて光量が多くなる。この結果、ＬＥＤ８から光軸Ｓ方向に照射された光が、光軸Ｓに交差する方向に延びる照射軸Ｓ１側に強められて光量が多くなる。この照射軸Ｓ１は、光軸Ｓと所定角度（図示する例では６５度）で交差し、この照射軸Ｓ１上の光量が最大となる。
【００２３】
この他、ＬＥＤ８から光軸Ｓ方向に照射された光は、第１配光レンズ９Ａによって、配光線Ｚ１に対して対称に配光されるとともに、光軸Ｓと配光線Ｚ１の両方に直交する直線を対称軸（直交線）Ｚ２として対称に配光される。これを言換えると、ＬＥＤ８からの光は、光軸Ｓを境にして配光線Ｚ１の両側に均等な光量で配光されるとともに、光軸Ｓを境にして対称軸Ｚ２の両側に均等な光量で配光される。ちなみに、この対称軸Ｚ２は、第１配光レンズ９Ａの短軸Ｙ２と平行になり、平面視でラップした状態になる。
【００２４】
そして、第１配光レンズ８Ａの長軸Ｙ１が上述したように駐車場１の長軸Ｘ１に平行な姿勢で固定されているため、第１照射ユニット７Ａからの照射された光は、光軸Ｓに対して所定角度（具体的には６５度程度）分上記長軸Ｘ１の両側に広がる範囲内（具体的には、−６５度〜６５度の間の範囲内）において、水平方向に近づく程（広角になる程）、光量が多くなる。
【００２５】
図７（Ａ）は第２配光レンズの光軸方向視の外形図であり、（Ｂ）は（Ａ）のＢ矢視図であり、（Ｃ）は（Ａ）のＣ−Ｃ断面図であり、図８は、第２照射ユニットの光軸方向視の光量分布図である。第２配光レンズ９Ｂは、光透性を有する部材（具体的には、無色透明な合成樹脂や硝子等）によって構成され、この第２配光レンズ９Ｂは、光軸Ｓ方向視で長円形をなして長さの異なる長軸Ｙ１と短軸Ｙ２とを縦横に有し、筐体６の照射面６ａから盛上った凸曲面状に成形されている。
【００２６】
具体的には、第２配光レンズ９Ｂは、長軸Ｙ１方向視で、表示面２から遠い側の面が、対向面６ａに対して垂直に立上っている一方で、それ以外の上面及び表示面２側の面が１／４周以上の円弧状に成形されている。また、第２配光レンズ９Ｂは、短軸Ｙ２方向視で、対称な１／２程度の円弧状をなしている。
【００２７】
この第２配光レンズ９Ｂには、ＬＥＤ８を収容する収容部１１が短軸Ｙ２方向に形成されている。この収容部１１は、断面視二等辺三角形状（さらに具体的には正三角形状）をなし、長軸Ｙ１方向視で、表示面２側に頂点が偏った逆Ｖ字状に形成され、この収容部１１の短軸Ｙ２方向の中央部にＬＥＤ８が収容配置される。
【００２８】
そして、筐体６の照射面６ａに固定された状態のＬＥＤ８の下方側から、収容部１１を被せるようにして、各ＬＥＤ８に１つの第２配光レンズ９Ｂを設置する。この際、収容部１１の全長方向中央部にＬＥＤ８を位置させるとともに、第２配光レンズ９Ｂの長軸Ｙ１方向が駐車場１の長手方向に平行な姿勢で、該第２配光レンズ９Ｂが、筐体６の照射面６ａ側に取付固定される。
【００２９】
該構成の第２照射ユニット７Ｂの長軸方向の光量分布図は、第１照射ユニット７Ａと同一または略同一であり、光軸Ｓ方向視の光量分布は、図７に示す通りである。具体的には、第２配光レンズ９Ｂによって、光軸Ｓ方向では弱められて光量が少なくなるとともに、該光軸Ｓと直交する一方向の直線であって且つ自身の長軸Ｙ１に平行な直線である配光線Ｚ１に沿って強められて光量が多くなる。この結果、ＬＥＤ８から光軸Ｓ方向に照射された光が、光軸Ｓに交差する方向に延びる照射軸Ｓ１側に強められて光量が多くなる。この照射軸Ｓ１は、光軸と所定角度（図示する例では６５度）で交差し、この照射軸Ｓ１の光量が最大となる。
【００３０】
この他、ＬＥＤ８から光軸Ｓ方向に照射された光は、第２配光レンズ９Ｂによって、光軸Ｓと配光線Ｚ１の両方に直交する直線を対称軸（直交線）Ｚ２として対称に配光される。これを言換えると、ＬＥＤ８からの光は、光軸Ｓを境にして配光軸Ｚ１の両側に均等な光量で配光される。これに加えて、ＬＥＤ８から光軸Ｓ方向に照射された光は、第２配光レンズ９Ｂによって、光軸Ｓを境にした対称軸Ｚ２の一方側（弱め側）に対して他方側（強め側）に強められて光量が多くなる。ちなみに、対称軸Ｚ２は、第２配光レンズ９Ｂの短軸Ｙ２に平行であって、且つ平面視で、両線Ｙ２，Ｚ２はラップした状態になる。
【００３１】
そして、第２配光レンズ８Ｂの長軸Ｙ１が上述したように駐車場１の長軸Ｘ１に平行になる他、対称軸Ｚ２の弱め側が平面視で駐車場１の自身に近接する側に位置するとともに、強め側が平面視で駐車場１の自身から離間する側に位置した状態になる。
【００３２】
このため、第２照射ユニット７Ｂからの照射された光は、光軸Ｓに対して所定角度（具体的には６５度程度）分上記長軸Ｘ１両側に広がる範囲内（具体的には、−６５度〜６５度の間の範囲内）において、水平方向に近づく程（広角になる程）、光量が多くなるとともに、平面視で、対称軸Ｚ２とラップする駐車場１の短軸Ｘ２上において、自身から近接する側と比較して離間する側が明るく照らされる。
【００３３】
図９（Ａ），（Ｂ）は第３照射ユニットの分解側面図及び平面図であり、図１０（Ａ）は第３照射ユニットの照射状態を真横から見た場合の説明図であり、（Ｂ）は第３照射ユニットの光軸方向視の光量分布図である。この第３配光レンズ９Ｃは、ハウジング１２と、レンズ本体１３とを備えている。
【００３４】
ハウジング１２は、光軸Ｓと同一軸心となる円柱状に成形され、このハウジング１２の照射側端にはレンズ穴１２ａが穿設され、このレンズ穴１２ａは底側に向かって次第に径が小さくなるテーパー状に成形されており、このレンズ穴１２ａの底部は、ＬＥＤ８を収容する収容部１１に近接または連通（図示する例では近接）している。収容部１１は、ＬＥＤ８の形状に沿う形状に成形され、ＬＥＤ８は、この収容部１１に嵌め込み収容された状態で、設置される。
【００３５】
レンズ本体１３は、レンズ穴１２ａの内周に沿う円錐台状に成形され、レンズ穴１２ａに嵌合挿入される。レンズ本体１３をレンズ穴１２ａに嵌合挿入した状態では、ハウジング１２及びレンズ本体１３が光軸Ｓと同一軸心となる。
【００３６】
このレンズ本体１３におけるレンズ穴１２ａの底側に位置する小径側端面は、ＬＥＤ８の発光部分の少なくとも一部が直接的または間接的（図示する例では、ハウジング１２を介して間接的）に収容される凹面１３ａとなる。
【００３７】
レンズ穴１２ａにレンズ本体１３全体を挿脱自在に嵌合挿入することにより第３配光レンズ９Ｃが構成され、この第３配光レンズ９Ｃの収容部１１にＬＥＤ８の全体を収容設置することにより、ＬＥＤ８の発光部分の少なくとも一部が凹面１３ａに収容されて第３照射ユニット７Ｃが構成される。
【００３８】
ちなみに、レンズ本体１３は、光透性を有する部材（具体的には、無色透明な合成樹脂や硝子等）によって構成されている。一方、ハウジング１２は、このような部材で構成することは必須ではないが、本例では、光透性を有する部材（具体的には、無色透明な合成樹脂や硝子等）によって構成されている。
【００３９】
該構成の第３照射ユニット７Ｃは、光軸Ｓに対して、１５〜３０度の角度（照射角度）βだけ広がった範囲が照射範囲に設定され、この照射範囲は、ハウジング１２のレンズ穴１２ａに嵌合設置するレンズ本体１３を交換することにより、設定変更可能である。言換えると、第３照射ユニット７Ｃは、照射側に向かって円錐状に光を照射し、この第３照射ユニット７Ｃの光軸Ｓ方向視の光量分布は、ＬＥＤ８を中心とする円形になり、これによって、第３照射ユニット７Ｃは、ＬＥＤ８からの光を、光軸Ｓ方向視で、光軸Ｓの軸回り全周に亘り、均一又は略均一に配光する。
【００４０】
このため、第３照射ユニット７Ｃは、ＬＥＤ８からの光を、光軸Ｓに沿って強められ、光軸Ｓ上で光量が最大になり、この光軸Ｓ上を配光された光は、該光軸Ｓ上或いは光軸Ｓに近接する対象物を明るく照らすように構成されている。ちなみに、照射角度βで示すように光軸Ｓ方向に向かって若干の拡散は許容される。
【００４１】
以上のような３種類の照射ユニット７Ａ，７Ｂ，７Ｃを、図２の示すようにして、筐体６の照射面６ａに配置している。具体的には、第１照射ユニット７Ａと、第２照射ユニット７Ｂと、第３照射ユニット７Ｃとが行列状に配置される。
【００４２】
第１配光レンズ９Ａ及び第２配光レンズ９Ｂの長軸Ｙ１は、上述した通り、全て同一方向である駐車場１の長軸Ｘ１と平行な方向に向けられ、この結果、第１配光レンズ９Ａ及び第２配光レンズ９Ｂの短軸Ｙ２の全て同一方向に向けられている。
【００４３】
上記短軸Ｙ２方向に沿って（具体的には平行に）第１照射ユニット７Ａが所定間隔（図示する例では等間隔）毎に複数並列されて第１照射ユニット列Ｌ１を構成し、上記短軸Ｙ２方向に沿って（具体的には平行に）第２照射ユニット７Ｂが所定間隔（図示する例では等間隔）毎に複数並列されて第２照射ユニット列Ｌ２を構成し、上記長軸Ｙ１方向に沿って（具体的には平行に）第３照射ユニット７Ｃが所定間隔（図示する例では等間隔）毎に複数並列させて第３照射ユニット列Ｌ３を構成している。
【００４４】
照射面６ａの上記長軸Ｙ１方向の中央側に、複数列（図示する例では２列）の第２照射ユニット列Ｌ２が形成され、この複数列配置された第２照射ユニット列Ｌ２の上記長軸Ｙ２方向両外側には、この第２照射ユニット列Ｌ２の集合を挟むようにして、第１照射ユニット列Ｌ１が一又は複数列（図示する例では１列）それぞれ配置されている。
【００４５】
この第２照射ユニット列Ｌ２の照射ユニット７Ｂの数は、第１照射ユニット列Ｌ１の照射ユニット７Ａの数よりも少なく、第１照射ユニット列Ｌ１及び第２照射ユニット列Ｌ２の一端同士は位置が揃えられているため、第１照射ユニット列Ｌ２の集合を挟んで対向する一対の第１照射ユニット列Ｌ１，Ｌ１の他端の間には、スペースが形成され、このスペースに、第３照射ユニット列Ｌ３が一又は複数列（図示する例では、１列）配設されている。
【００４６】
ちなみに、第３照射ユニット列Ｌ３の照射ユニット７Ｃの数は、第２照射ユニットＬ２の列数と同数であるとともに、第３照射ユニット列Ｌ３の列数は、第１照射ユニット列Ｌ１の照射ユニット７Ａの数から第２照射ユニット列Ｌ２の照射ユニット７Ａの数を減算した値と同一になり、これによって、照射面６ａの複数の照射ユニット７が行列状に配された状態になる。
【００４７】
以上のように構成される照明装置３によれば、駐車場１の短軸Ｘ２方向における自身に近い側の範囲である近接エリアＡが、第１照射ユニット７Ａ及び第２照射ユニット７Ｂからの光によって照らされ、駐車場１の短軸Ｘ２方向における自身から遠い側の範囲である離間エリアＢが、第２照射ユニット７Ｂからの光によって照らされ、筐体６の照射面６ａの下方（具体的には直下）の近接エリアＡ及び離間エリアＢよりも狭い範囲である集中照射エリアＣが、第３照射ユニット７Ｃからの光によって、集中的に照らされる。
【００４８】
ちなみに、この照射エリアＣは、近接エリアＡや、離間アリアＢに比べて狭い範囲であるため、照射面６ａに設置する第３照射ユニット７Ｃの設置数は、第１照射ユニット７Ａの設置数や、第２照射ユニット７Ｂの設置数よりも少なくなっている。
【００４９】
また、駐車場１の両端側に照明装置３が設置されているため、駐車場１が両側から明るく照らされる。しかも、２つの照明装置３，３の近接エリアＡ及び離間エリアＢの少なくとも一部が互いに重複するため、照明装置３から遠い駐車場１の中央部も明るく照らすことが可能になる。
【００５０】
さらに、照明装置３の筐体６の下方が第３照射ユニット７Ｃによって、明るく照らされるため、自身の直下を明るく照らした状態で、第１照射ユニット７Ａ及び第２照射ユニット７Ｂの照射軸Ｓ１をより水平方向に近い角度（本例では６５度）に設定することが可能になる。この照射軸Ｓ１の設定によって、第１照射ユニット７Ａ及び第２照射ユニット７Ｂからの光を、水平方向側に強めて照射することが可能になるので、駐車場１にいる利用者の頭上高さ程度まで明るく照らすことが可能になる。
【００５１】
次に、図１１乃至図１３に基づき、本発明の別実施形態について、上述の形態と異なる構成を説明する。
図１１（Ａ），（Ｂ）は公園に設置された外灯の平面図及び側面図であり、図１２（Ａ），（Ｂ）は、第４配光レンズの側面図及び光軸方向視の平面図であり、図１３（Ａ）は第４照射ユニットの光軸方向視の光量分布図であり、（Ｂ）は光軸の真横から観察した場合の第４照射ユニットの光量分布図である。図示する例では、公園１の中央側に照明装置３が設置されている。
【００５２】
この照明装置３の支持部材４は、支柱１４と、支柱１４の上端部から水平方向に突出する棒状の支持フレーム１６とを備え、この支持フレーム１６の先端部に筐体６が設置されている。筐体６の照射面６ａは、真下側に向けられ、各ＬＥＤの光軸Ｓは鉛直方向に設定されている。ちなみに、この支柱１４の中途部に、各ＬＥＤの制御回路等からなるドライバ１７が内装されている。
【００５３】
この筐体６に設置されている照射ユニット７は、上述した第３照射ユニット７Ｃと、後述する第４照射ユニット（広域照射ユニット）７Ｄとの２種類であり、第４照射ユニット７Ｄの数は、第３照射ユニット７Ｃの数よりも多くなっている。
【００５４】
第４照射ユニット７Ｄは、上述のＬＥＤ８と、第４配光レンズ９Ｄとを備えている。第４配光レンズ９Ｄは、光軸Ｓ方向視で、円形に成形され、筐体６の照射面６ａからドーム状に盛上った形状に成形されており、光透性を有する部材（具体的には、無色透明な合成樹脂や硝子等）によって構成されている。
【００５５】
この第４配光レンズ９Ｄの光軸Ｓ方向視における中央部に、光軸Ｓ方向に延びる円柱状の収容部１１が形成され、この収容部１１は、照射面６ａ側の端部が開放されて、ＬＥＤ８を収容する収容スペースになる。
【００５６】
そして、筐体６の照射面６ａに固定された状態のＬＥＤ８の下方側から、収容部１１を被せるようにして、各ＬＥＤ８に１つの第１配光レンズ９Ａを設置する。この際、収容部１１の軸心にＬＥＤ８を位置させる。
【００５７】
ＬＥＤ８から光軸Ｓ方向に照射された光は、光軸Ｓに交差する方向に延びる照射軸Ｓ１側に強められて光量が多くなる。この照射軸Ｓ１は、光軸と所定角度（図示する例では７０〜７５度）で交差し、この照射軸Ｓ１の光量が最大となる。しかも、ＬＥＤ８からの光は、第４配光レンズ９Ｄによって、光軸Ｓ方向視で、３６０度全方向に均等に配光され、光軸Ｓを中心とした円形の光量分布となる。言換えると、光軸Ｓ方向視で、３６０度全方向に均等に配光されるため、第４配光レンズ９Ｄは、ＬＥＤ８からの光を、光軸Ｓに直交する任意の図示しない直線を対称軸として対称に配光する。
【００５８】
そして、第１照射ユニット７Ａからの照射された光は、光軸Ｓに対して所定角度、該光軸Ｓの軸回り全周に亘り照射され、この照射角度が、照射軸Ｓ１の角度になるまでは、水平方向に近づく程、光量が多くなる。
【００５９】
以上のように構成される照明装置３によれば、筐体６の直下が第３照射ユニット７Ｃによって集中的に照らされ、筐体６の下方の広い範囲が第４照射ユニット７Ｄによって明るく照らされ、これによって、空間１全体が明るく均一に照られる。
【００６０】
また、これは上述の例と同様であるが、照明装置３の筐体６の下方が第３照射ユニット７Ｃによって、明るく照らされるため、自身の直下を明るく照らした状態で、第４照射ユニット７Ｄの照射軸Ｓ１をより水平方向に近い角度（本例では６５度）に設定することが可能になる。この照射軸Ｓ１の設定によって、第１照射ユニット７Ｄからの光を、水平方向側に強めて照射することが可能になる。
【００６１】
次に、図１４に基づき、本発明の別実施形態について、上述の形態と異なる構成を説明する。
図１４（Ａ），（Ｂ）は部屋に設置された外灯の平面図及び側面図である。図示する例では、室内の空間である部屋１の両端寄り部分にそれぞれ複数（具体的には、３つ）の照明装置３が並列配置されている。
【００６２】
各照明装置３の支持部材４によって、天井の吊下げ支持されている。また、用いる配光レンズ９は、図１乃至図１０に示すタイプのものでもよく、図１１乃至図１３に示すタイプのものでもよい。また、図１乃至図１０に示すタイプのものを用いる場合には、近接エリアＡを部屋１の端側に配するとともに離間エリアＢを部屋１の中央側に配する。
【００６３】
この複数の照明装置３によって、部屋１の全体を、上下方向の含めて明るく照らすことが可能になる。
【符号の説明】
【００６４】
７  照射ユニット
７Ａ  第１照射ユニット（広域照射ユニット７，対称範囲照射ユニット）
７Ｂ  第２照射ユニット（広域照射ユニット７，非対称範囲照射ユニット）
７Ｃ  第３照射ユニット（下方照射ユニット）
７Ｄ  第４照射ユニット（広域照射ユニット）
８  ＬＥＤ（発光ダイオード）
９  配光レンズ
Ｓ  光軸
Ｚ１  配光線
Ｚ２  対称軸（直交線）
【要約】
【課題】下方に光を発光する発光ダイオード及び発光ダイオードからの光を配光する配光レンズを備えた照明装置において、下方の広い範囲を均一に明るく照らすことが可能な照明装置を提供することを課題とする。
【解決手段】本発明は、下方に向かって光を照射す発光ダイオード８及び該発光ダイオード８からの光を配光する配光レンズ９を有する照射ユニット７を複数備え、照射ユニット７の少なくとも１つは、配光レンズ９によって、発光ダイオード８からの光を光軸Ｓに交差する方向に強める広域照射ユニット７Ａ，７Ｂ，７Ｄとなる照明装置において、複数の照射ユニット７の広域照射ユニット７Ａ，７Ｂ，７Ｄ以外の少なくとも１つは、配光レンズ９によって、発光ダイオード８からの光を光軸Ｓ方向に沿って強める下方照射ユニット７Ｃである。
【選択図】図１【図１】
0005425289.tif 000002
【図２】
0005425289.tif 000003
【図３】
0005425289.tif 000004
【図４】
0005425289.tif 000005
【図５】
0005425289.tif 000006
【図６】
0005425289.tif 000007
【図７】
0005425289.tif 000008
【図８】
0005425289.tif 000009
【図９】
0005425289.tif 000010
【図１０】
0005425289.tif 000011
【図１１】
0005425289.tif 000012
【図１２】
0005425289.tif 000013
【図１３】
0005425289.tif 000014
【図１４】
0005425289.tif 000015